(57)【要約】  履物製品（１０）のためのブラダが、第１の材料で形成される第１の障壁層（２１２ａ）と、第２の材料で形成される第２の障壁層（２１２ｂ）とを含む。第１の障壁層及び第２の障壁層は、弓形の経路に沿って延びる第１の流体充填セグメント（２１８ｃ）と、第１の長手方向軸に沿って第１の流体充填セグメントの第１の端から第１の遠位端（２１９ａ）まで延びる第２の流体充填セグメント（２１８ａ）と、第１の長手方向軸に平行な第２の長手方向軸に沿って第１の流体充填セグメントの第２の端から第２の遠位端（２１９ｂ）まで延びる第３の流体充填セグメント（２１８ｂ）とを有する、流体充填チャンバ（２１０）を協働して形成する。第１の障壁層及び第２の障壁層は、第１のセグメント、第２のセグメント、及び第３のセグメントの各々を接続するウェブ領域（２１６）を画定するよう互いに接合されてよい。
2021512745.tif 000002
【特許請求の範囲】
【請求項１】
履物の物品のためのブラダであって、
第１の材料で形成される第１の障壁層と、
第２の材料で形成される第２の障壁層とを含み、該第２の障壁層は、前記第１の障壁層と協働して、弓形の経路に沿って延びる第１の流体充填セグメントと、第１の長手方向軸に沿って前記第１の流体充填セグメントの第１の端から第１の遠位端まで延びる第２の流体充填セグメントと、第２の長手方向軸に沿って前記第１の流体充填セグメントの第２の端から第２の遠位端まで延びる第３の流体充填セグメントとを含む、流体充填チャンバを形成し、該流体充填チャンバは、前記第１の流体充填セグメントから前記第１の遠位端及び前記第２の遠位端の少なくとも一方まで連続的に一定の比率で先細くなる前記流体充填チャンバの厚さを画定する、管状形状を有する、
ブラダ。
【請求項２】
前記第１の障壁層及び前記第２の障壁層は、前記第１の流体充填セグメント、前記第２の流体充填セグメント、及び前記第３の流体充填セグメントの各々を接続する、ウェブ領域を更に画定し、前記第１の障壁層は、前記ウェブ領域内で前記第２の障壁層に接合される、請求項１に記載のブラダ。
【請求項３】
前記第１の障壁層は、前記第１の流体充填セグメント、前記第２の流体充填セグメント、及び前記第３の流体充填セグメントの各々で、前記第２の障壁層から離間して、前記流体充填チャンバの連続的な内部空隙を画定する、請求項１に記載のブラダ。
【請求項４】
前記流体充填チャンバの断面は、円形である、請求項１に記載のブラダ。
【請求項５】
前記流体充填チャンバの直径は、前記第１の流体充填セグメントでの第１の直径から前記第１の遠位端及び前記第２の遠位端での第２の直径に連続的に先細くなる、請求項４に記載のブラダ。
【請求項６】
前記第１の遠位端及び前記第２の遠位端は、半球形である、請求項１に記載のブラダ。
【請求項７】
前記第１の流体充填セグメント、前記第２の流体充填セグメント、及び前記第３の流体充填セグメントの各々に接合される、オーバーモールド部分を更に含む、請求項１に記載のブラダ。
【請求項８】
前記オーバーモールド部分は、前記流体充填チャンバに接合される弓形の内面と、地面係合面を画定する反対側の弓形の外面とを含む、請求項７に記載のブラダ。
【請求項９】
前記オーバーモールド部分の断面は、三日月の形状である、請求項８に記載のブラダ。
【請求項１０】
前記流体充填チャンバは、透明な材料で形成される、請求項１に記載のブラダ。
【請求項１１】
履物の物品のための流体充填ブラダであって、
第１の方向に沿って第１の遠位端まで延びる第１の流体充填セグメントと、該第１の流体充填セグメントから離間し、前記第１の方向に沿って第２の遠位端まで延びる、第２の流体充填セグメントと、前記第１の流体充填セグメントと前記第２の流体充填セグメントとの間に延びる第３の流体充填セグメントとを画定するよう協働する、第１の障壁層及び第２の障壁層を有する、第１の材料で形成される流体充填チャンバと、
該流体充填チャンバの前記第１のセグメントに接合される第３のセグメントと、前記流体充填チャンバの前記第２のセグメントに接合される第４のセグメントと、前記流体充填チャンバの前記第３のセグメントに接合される第６のセグメントとを有する、第２の材料で形成されるオーバーモールド部分とを含み、
前記流体充填チャンバは、前記第３の流体充填セグメントから前記第１の遠位端及び前記第２の遠位端のうちの少なくとも一方まで連続的に先細くなる前記流体充填チャンバの厚さを画定する、管状形状を有する、
流体充填ブラダ。
【請求項１２】
前記第１の流体充填セグメント、前記第２の流体充填セグメント、及び前記第３の流体充填セグメントの各々は、連続的な内部空隙を協働して画定する、請求項１１に記載の流体充填ブラダ。
【請求項１３】
前記内部空隙は、円形の断面を有する、請求項１２に記載の流体充填ブラダ。
【請求項１４】
前記内部空隙の直径は、前記第３の流体充填セグメントでの第１の直径から前記第１の流体充填セグメントの前記第１の遠位端での第２の直径まで先細くなる、請求項１３に記載の流体充填ブラダ。
【請求項１５】
前記直径は、一定の比率で先細くなり、前記第２の直径は、前記第１の直径未満である、請求項１４に記載の流体充填ブラダ。
【請求項１６】
前記第１の流体充填セグメントと前記第２の流体充填セグメントとの間に延在するウェブ領域を更に含む、請求項１１に記載の流体充填ブラダ。
【請求項１７】
前記オーバーモールド部分は、前記オーバーモールド部分から延びる複数の牽引要素を含む、請求項１１に記載の流体充填ブラダ。
【請求項１８】
前記流体充填チャンバは、透明な材料で形成され、前記オーバーモールド部分は、透明でない材料で形成される、請求項１１に記載の流体充填ブラダ。
【請求項１９】
前記第１の遠位端及び前記第２の遠位端は、半球形である、請求項１１に記載の流体充填ブラダ。
【請求項２０】
前記第３のセグメントは、弓形の経路に沿って延びる、請求項１１に記載の流体充填ブラダ。
【発明の詳細な説明】
【技術分野】
【０００１】
（関連出願の参照）
この出願は、２０１８年１月３１日に出願された米国非仮特許出願第１５／８８５，６９５号の優先権を主張し、その全文を参照により本明細書に援用する。
【０００２】
本開示は、一般的には、履物の物品(article  of  footwear)のためのソール構造(sole  structure)に関し、より具体的には、流体充填ブラダ(流体充填袋)(fluid-filled  bladder)を組み込んだソール構造に関する。
【背景技術】
【０００３】
このセクションは、必ずしも先行技術ではない本開示に関する背景情報を提供する。
【０００４】
履物の物品は、従来的に、アッパー(upper)と、ソール構造とを含む。アッパーは、ソール構造で足を受け入れ、固定し、且つ支持するよう、任意の適切な（複数の）材料から形成されることがある。アッパーは、レース、ストラップ、又は他の締結具と協働して、足の周りのアッパーの嵌まり(fit)を調整することがある。足の底面に近接するアッパーの底部分は、ソール構造に付着する。
【０００５】
ソール構造は、一般的に、地面とアッパーとの間に延在する層状構成を含む。ソール構造の１つの層が、耐摩耗性及び地面との牽引性を提供するアウトソール(表底)(outsole)を含む。アウトソールは、ゴム又は耐久性及び耐摩耗性を付与し且つ地面との牽引力を強化する他の材料から形成されてよい。ソール構造の別の層が、アウトソールとアッパーとの間に配置されるミッドソール(mid  sole)を含む。ミッドソールは、足のための緩衝作用(cushioning)を提供し、ポリマフォーム材料から部分的に形成されてよく、ポリマフォーム材料は、加えられる荷重の下で弾性的に圧縮されて、地面反力を減衰させることによって足にクッションを与える(cushion)。ミッドソールは、ソール構造の耐久性を増大させるために、並びに加えられる荷重の下で弾性的に圧縮されることによって足に緩衝作用を提供して地面反力を減衰させるために、流体充填ブラダを追加的に又は代替的に含むことがある。ソール構造は、アッパーの底部分に近接する空隙内に配置される快適性を高めるインソール(中底)(insole)又はソックライナ(中敷)(sockliner)と、アッパーに取り付けられてミッドソールとインソール又はソックライナとの間に配置されるストロベル(strobel)とを含んでもよい。
【０００６】
流体充填ブラダを利用するミッドソールは、典型的には、シールされた或いは互いに結合されたポリマ材料の２つのバリア層から形成されるブラダを含む。流体充填ブラダは、空気のような流体で加圧され、競技運動中のように、加えられる負荷の下で弾性的に圧縮されるときに、ブラダの形状を保持するために、ブラダ内に引張部材を組み込むことがある。一般的に、ブラダは、ブラダが加えられる荷重の下で弾性的に圧縮されるときの応答性に関するクッション特性(cushioning  characteristics)及び足のための支持を均衡させることに重点を置いて設計される。
【発明の概要】
【０００７】
本明細書に記載する図面は、選択される構成の例示的な目的のために過ぎず、本開示の範囲を制限することを意図しない。
【図面の簡単な説明】
【０００８】
【図１】本開示の原理に従った履物の物品の側面斜視図である。
【０００９】
【図２】層状構成に配置されたアッパー及びソール構造を有する履物の物品を示す図１の履物の物品の分解図である。
【００１０】
【図３Ａ】図１の履物の物品の底面斜視図である。
【図３Ｂ】図１の履物の物品の底面斜視図である。
【００１１】
【図４】図３Ｂの線４−４に沿って取られた断面図であり、ソール構造の踵領域内に配置され且つウェブ地域によって互いから分離された流体充填ブラダのセグメントを示している。
【００１２】
【図５】図３Ｂの線５−５に沿って取られた断面図であり、ソール構造の踵領域内に配置され且つウェブ地域によって互いから分離された流体充填ブラダのセグメントを示している。
【００１３】
【図６】図３Ｂの線６−６に沿って取られた断面図であり、前足領域内のソール構造の構成要素を示している。
【００１４】
【図７】図３Ｂの線７−７に沿って取られた断面図であり、ソール構造の中足領域内のソール構造の構成要素を示している。
【００１５】
【図８】図３Ｂの線８−８に沿って取られた断面図であり、ソール構造の前端からソール構造の後端まで延在する構成要素を示している。
【発明を実施するための形態】
【００１６】
対応する参照番号は、図面を通じて対応する部分を示している。
【００１７】
次に、添付の図面を参照して、例示的な構成をより完全に記載する。例示的な構成は、この開示が徹底的であり、当業者に本開示の範囲を完全に伝えるように、提供される。本開示の構成の完全な理解を提供するために、特定の構成要素、デバイス、及び方法の例のような、特定の詳細が説明される。特定の詳細が利用される必要がないこと、例示的な構成が多くの異なる形態で実施されてよいこと、並びに特定の詳細及び例示的な構成が本開示の範囲を制限するものと解釈されてならないことが、当業者に明らかであろう。
【００１８】
本明細書で使用する用語は、特定の例示的な構成を記載する目的のためだけにあり、限定的であることを意図しない。本明細書で使用するとき、単数形の表現は、文脈が他のことを明確に示していない限り、複数の形態も含むことを意図することがある。「含む(comprises)」、「含む(comprising)」、「含む(including)」及び「有する(having)」という用語は、包括的であり、従って、構成、ステップ、操作、要素、及び／又は構成要素の存在を特定するが、１つ又はそれよりも多くの他の構成、ステップ、操作、要素、構成要素、及び／又はそれらの群の存在又は追加を排除しない。本明細書に記載する方法ステップ、プロセス、及び操作は、遂行の順序として特に特定されない限り、議論される或いは例示される特定の順序におけるそれらの遂行を必ず必要とすると解釈されるべきでない。追加的な又は代替的なステップが利用されてよい。
【００１９】
ある要素又は層が別の要素又は層「の上にある」、「に係合される」、「に接続される」、「に取り付けられる」、又は「に連結される」と称されるとき、それは、別の要素又は層に直接的に上にあってよく、係合されてよく、接続されてよく、取り付けられてよく、又は連結されてよく、或いは介在要素又は層が存在してよい。対照的に、ある要素が別の要素又は層「の直ぐ上にある」、「に直接的に係合される」、「に直接的に接続される」、「に直接的に取り付けられる」、又は「に直接的に連結される」と称されるとき、介在要素又は層は存在しないことがある。要素間の関係を記載する他の用語は、同様の仕方（例えば、「間」対「直接的に間」、「隣接」対「直ぐ隣接」など）で解釈されなければならない。本明細書で使用するとき、「及び／又は」という用語は、関連して列挙される品目の１つ又はそれよりも多くのありとあらゆる組み合わせを含む。
【００２０】
第１、第２、第３などの用語は、様々な要素、構成要素、領域、層及び／又は区画を記述するために本明細書中で使用されてよい。これらの要素、構成要素、領域、層及び／又は区画は、これらの用語によって限定されてならない。これらの用語は、１つの要素、構成要素、領域、層又は区画を別の領域、層又は区画から区別するためにのみ使用されることがある。「第１」、「第２」及び他の数値用語のような用語は、文脈によって明確に示されない限り、シーケンス又は順序を暗示しない。よって、以下に議論する第１の要素、構成要素、領域、層又は区画を、例示的な構成の教示から逸脱することなく、第２の要素、構成要素、領域、層又は区画と呼ぶことができる。
【００２１】
図面を参照すると、履物の物品(article  of  footwear)のための流体充填ブラダ(fluid-filled  bladder)が提供される。ブラダは、第１の材料で形成される第１の障壁層と、第２の材料で形成される第２の障壁層とを含む。第１の障壁層及び第２の障壁層は、弓形の経路に沿って延在する第１の流体充填セグメントと、第１の長手方向線に沿って第１の流体充填セグメントの第１の端から第１の遠位端まで延在する第２の流体充填セグメントと、第２の長手方向軸に沿って第１の流体充填セグメントの第２の端から第２の遠位端まで延在する第３の流体充填セグメントとを有する、流体充填チャンバを協働して形成する。流体充填チャンバは、流体充填チャンバの厚さを画定する管状形状を有する。チャンバの厚さは、第１の流体充填セグメントから第１の遠位端及び第２の遠位端の少なくとも一方まで、連続的に一定の比率で先細くなる(テーパ状である)。
【００２２】
本開示の実装は、以下の任意的な構成のうちの１つ又はそれよりも多くを含んでよい。幾つかの例において、第１の障壁層及び第２の障壁層は、第１の流体充填セグメント、第２の流体充填セグメント、及び第３の流体充填セグメントの各々を接続する、ウェブ領域を更に画定してよい。ここで、第１の障壁層は、ウェブ領域内で第２の障壁層に接合される。
【００２３】
幾つかの例において、第１の障壁層は、流体充填チャンバの連続的な内部空隙を画定するよう、第１の流体充填セグメント、第２の流体充填セグメント、及び第３の流体充填セグメントの各々で、第２の障壁層から離間して配置される。
【００２４】
幾つかの例において、流体充填チャンバは、円形の断面を有する。ここで、チャンバの直径は、第３の流体充填セグメントでの第１の直径から第１の遠位端及び第２の遠位端での第２の直径まで連続的に先細くなる。
【００２５】
幾つかの実装において、第１の遠位端及び第２の遠位端は、半球形である。
【００２６】
幾つかの例において、ブラダは、第１の流体充填セグメント、第２の流体充填セグメント、及び第３の流体充填セグメントの各々に接合される、オーバーモールド部分を更に含む。任意的に、オーバーモールド部分は、流体充填チャンバに接合された弓形の内面と、地面係合面を画成する反対側の弓形の外面とを含む。ここで、オーバーモールド部分の断面は、三日月の形状である。
【００２７】
幾つかの実装において、流体充填チャンバは、透明な材料で形成される。
【００２８】
本開示の別の態様では、履物の物品のための流体充填ブラダが提供される。流体充填ブラダは、第１の方向に沿って延在する第１の流体充填セグメントと、第１の流体充填セグメントから離間し、第１の方向に沿って延在する、第２の流体充填セグメントと、第１のセグメントと第２のセグメントとの間に延在する第３の流体充填セグメントとを画定するよう協働する、第１の障壁層及び第２の障壁層を有し、第１の材料で形成される、流体充填チャンバを含む。流体充填チャンバは、第３の流体充填セグメントから第１の遠位端及び第２の遠位端の少なくとも一方まで連続的に先細くなる流体充填チャンバの厚さを画定する管状形状を有する。流体充填ブラダは、流体充填チャンバの第１のセグメントに接合される第３のセグメントと、流体充填チャンバの第２のセグメントに接合される第４のセグメントと、流体充填チャンバの第３のセグメントに接合される第６のセグメントとを有する、第２の材料で形成されるオーバーモールド部分を更に含む。
【００２９】
本開示の実装は、以下の任意的な構成のうちの１つ又はそれよりも多くを含んでよい。幾つかの例において、第１のセグメント、第２のセグメント、及び第３のセグメントの各々は、連続的な内部空隙を画定するよう協働する。内部空隙は、円形の断面を有してよい。ここで、内部空隙の直径は、第３の流体充填セグメントでの第１の直径から第１の遠位端での第２の直径まで先細くなる。任意的に、直径は、連続的に一定の比率で先細くなってよく、第２の直径は、第１の直径未満であってよい。
【００３０】
幾つかの例において、流体充填ブラダは、第１の流体充填セグメントと第２の流体充填セグメントとの間に延在するウェブ領域を含む。
【００３１】
幾つかの実施態様において、オーバーモールド部分は、そこから延びる複数の牽引要素を含む。
【００３２】
幾つかの例において、流体充填チャンバは、透明な材料で形成され、オーバーモールド部分は、透明でない材料で形成される。
【００３３】
幾つかの例において、第１の遠位端及び第２の遠位端は、半球状である。
【００３４】
任意的に、第３のセグメントは、弓形の経路に沿って延びる。
【００３５】
図１〜図８を参照すると、履物１０の物品(article  of  footwear  10)は、アッパー１００(upper)と、ソール構造２００(sole  structure)とを含む。履物１０の物品は、１つ又はそれよりも多くの領域に分割されることがある。領域は、前足領域１２(forefoot  region)と、中足領域１４(mid-foot  region)と、及び踵領域１６(heel  region)とを含んでよい。前足領域１２は、指節骨に対応する足指部分１２Ｔ(toe  portion)と、足の中足骨と関連付けられるボール部分１２Ｂ(ball  portion)とに細分されることがある。中足領域１４は、足のアーチ領域(arch  area)に対応することがあり、踵領域１６は、踵骨を含む足の後方部分に対応することがある。履物１０は、前足領域１２の最前方地点と関連付けられる前端１８(anterior  end)と、踵領域１６の最後方点に対応する後端２０(posterior  end)とを更に含んでよい。図３Ａに示すように、履物１０の長手方向軸ＡＬは、履物１０の長さに沿って前端１８から後端２０まで延び、履物１０を外側側面２４(lateral  side)と内側側面２２(medial  side)とに分割する。従って、外側側面２４及び内側側面２２は、それぞれ、履物１０の両側面と対応し、領域１２、１４、１６を通じて延在する。
【００３６】
アッパー１００は、ソール構造２００上での支持のための足を受け入れて固定するように構成された内部空隙１０２を画定する内面を含む。アッパー１００は、内部空隙１０２を形成するために互いに縫合される又は接着式に結合される１つ又はそれよりも多くの材料から形成されてよい。アッパーの適切な材料は、メッシュ、織物、フォーム、革、及び合成革を含むが、これらに限定されない。材料は、耐久性、空気透過性、耐摩耗性、可撓性、及び快適性の特性を付与するように選択され且つ配置されてよい。
【００３７】
図２及び図８を参照すると、幾つかの例において、アッパー１００は、ソール構造２００に対向する底面と、内部空隙１０２のフットベッド１０６(中敷)(footbed)を画定する対向する頂面とを有する、ストロベル１０４(strobel)を含む。縫合又は接着剤は、ストロベル１０４をアッパー１００に固定することがある。フットベッド１０６は、足の底面（例えば、足底(plantar)）の輪郭に適合するように輪郭付けられてよい。任意的に、アッパー１００は、インソール１０８(中底)(insole)又はソックライナ(中敷)(sockliner)のような追加的な層を含むこともでき、追加的な層は、ストロベル１０４の上に配置され、アッパー１００の内部空隙１０２内に存在して、足の足底面を受けて、履物１０の物品の快適性を高めることがある。踵領域１６内の足首開口１１４が、内部空隙１０２へのアクセスを提供することがある。例えば、足首開口１１４は、足を受け入れて、足を空隙１０２内に固定し、足部の内部空隙部１０２からの進入及び内部空隙１０２への足の進入及び内部空隙からの足の除去を容易にすることがある。
【００３８】
幾つかの例では、１つ又はそれよりも多くの締結具１１０が、アッパー１００に沿って延在して、足の周りで内部空隙１０２の嵌まり調整し、内部空隙からの足の進入及び除去に順応させる。アッパー１００は、アイレットのような孔１１２、及び／又は締結具１１０を受け入れる織物又はメッシュループのような他の係合機構を含んでよい。締結具１１０は、レース、ストラップ、コード、フックアンドループ、又は任意の他の適切なタイプの締結具を含んでよい。アッパー１００は、内部空隙１０２と締結具との間に延在する舌部分１１６を含んでよい。
【００３９】
図１〜図３Ｂ及び図６〜図８を参照すると、ソール構造２００は、踵領域１６内でソール構造２００の周辺を囲む流体充填ブラダ２０８(流体充填袋)(fluid-filled bladder)を含む。流体充填ブラダ２０８は、流体充填チャンバ２１０と、流体充填チャンバ２１０に接合され、ソール構造２００の地面係合面２０２の第１の部分を画定する、オーバーモールド部分２２０とを含む。ソール構造２００は、以下により詳細に議論するように、前足領域１２及び中足領域１４においてソール構造２００の周辺を囲む外側ソール部材２３０と、前足領域１２から踵領域１６まで延在する内側ソール部材２６０とを更に含む。
【００４０】
図２、図４、図５、及び図８を参照すると、流体充填チャンバ２１０は、加圧流体（例えば、空気）を受け入れるための内部空隙２１３を画定する、互いに接合された一対の障壁層２１２から形成される。障壁層２１２は、上方の第１の障壁層２１２ａと、下方の第２の障壁層２１２ｂとを含む。第１の障壁層２１２ａ及び第２の障壁層２１２ｂは、成形又は熱成形プロセス中に、複数の別個の場所で互いに接合し且つ結合することによって、チャンバ２１０のための障壁層を画定する。従って、第１の障壁層２１２ａは、ソール構造２００の周辺に延在するシーム２１４と、ソール構造２００の内側側面２２と外側側面２４との間に延在するウェブ領域２１６とを形成するよう、第２の障壁層２１２ｂに接合される。第１の障壁層２１２ａ及び第２の障壁層２１２ｂは、それぞれ、透明な熱可塑性ポリウレタンのシートから形成されてよい。幾つかの例において、障壁層２１２ａ、２１２ｂは、透明でないポリマ材料で形成されてよい。
【００４１】
シーム２１４は、流体充填チャンバ２１０から外向きに突出する比較的顕著なフランジを形成するように示されているが、シーム２１４は、上方障壁層２１２ａと下方障壁層２１４ａが互いに実質的に連続的であるように平坦なシームであってよい。その上、第１の障壁層２１２ａ及び第２の障壁層２１２ｂは、図３及び図４に示すように、実質的に連続的なウェブ領域２１６を画定するよう、ソール構造２００の外側側面２４とソール構造２００の内側側面２２との間で互いに接合される。
【００４２】
幾つかの実装において、第１及び第２の障壁層２１２ａ、２１２ｂは、それぞれのモールド部分によって形成され、各モールド部分は、第２の障壁層２１２ｂ及び第１の障壁層２１２ａが互いに接合され且つ結合されるときに、シーム２１４及び／又はウェブ領域２１６が形成される場所に対応する、凹部及びピンチ面を形成するための様々な表面を画定する。幾つかの実装では、接着ボンディングが、第１の障壁層２１２ａ及び第２の障壁層２１２ｂを接合させて、シーム２１４及びウェブ領域２１６を形成する。他の実装において、第１の障壁層２１２ａ及び第２の障壁層２１２ｂは、熱ボンディングによってシーム２１４及びウェブ領域２１６を形成するように接合される。幾つかの例では、障壁層２１２ａ、２１２ｂの一方又は両方が、成形及び溶解を容易にする温度まで加熱される。幾つかの例において、障壁層２１２ａ、２１２ｂは、それらのそれぞれの型(モールド)の間に配置される前に加熱される。他の例において、型は、障壁層２１２ａ、２１２ｂの温度を上昇させるよう加熱されてよい。幾つかの実装では、チャンバ２１０を形成するために使用される成形プロセスは、第１及び第２の障壁層２１２ａ、２１２ｂが引き込まれてそれぞれの型部分と接触するよう、空気を除去するために、型部分内に真空ポートを組み込む。他の実施形態では、圧力上昇が障壁層２１２ａ、２１２ｂをそれらのそれぞれの型部分の表面と係合させるように、空気のような流体が上方及び下方の障壁層２１２ａ、２１２ｂの間の領域に注入されてよい。
【００４３】
図３Ａ及び図３Ｂを参照すると、流体充填チャンバ２１０は、複数のセグメント２１８ａ〜２１８ｃを含む。幾つかの実装において、第１の障壁層２１２ａ及び第２の障壁層２１２ｂは、複数のセグメント２１８ａ〜２１８ｃの各々のセグメントの幾何学的形状（例えば、厚さ、幅、及び長さ）を協働して画定する。例えば、シーム２１４及びウェブ領域２１６は、セグメント２１８ａ〜２１８ｃの各セグメント内の流体（例えば、空気）を封止するためにセグメント２１８ａ〜２１８ｃの各セグメントの周りを境界付け且つ延在するよう、協働してよい。よって、各セグメント２１８ａ〜２１８ｃは、上方及び下方の障壁層２１２ａ、２１２ｂが互いに接合されず、よって、それぞれの空隙２１３を形成するよう互いに分離される、チャンバ２１０の領域と関連付けられる。
【００４４】
例示の例において、チャンバ２１０は、ソール構造２００の踵領域１６内に配置される一連の接続されたセグメント２１８を含む。追加的に又は代替的に、チャンバ２１０は、ソール構造の前足領域１２又は中足領域１４内に配置されてよい。内側セグメント２１８ａは、踵領域内のソール構造２００の内側側面２２に沿って延在し、中足領域１４内の第１の遠位端２１９ａで終端する。同様に、外側セグメント２１８ｂは、踵領域１６内のソール構造２００の外側側面２４に沿って延在し、中足領域１４内の第２の遠位端２１９ｂで終端する。
【００４５】
後方セグメント２１８ｃが、踵領域１６の後端２０の周りに延在し、内側セグメント２１８ａ及び外側セグメント２１８ｂに流体的に結合する。例示の例において、後方セグメント２１８ｃは、アッパー１００が前端１８に向かって後方セグメント２１８ｃの最後方部分からオフセットされるよう、アッパー１００の後端２０を越えて突出する。図示のように、後方セグメント２１８ｃは、内側セグメント２１８ａの後端を外側セグメント２１８ｂの後端に接続するよう、実質的に弓形(弧状)の経路に沿って延在する。更に、後方セグメント２１８ｃは、内側セグメント２１８ａ及び外側セグメント２１８ｂの各々と連続的に形成される。従って、チャンバ２１０は、馬蹄形を概ね画定することがあり、後方セグメント２１８ｃは、内側側面２２及び外側側面２４のそれぞれの側面で内側セグメント２１８ａ及び外側セグメント２１８ｂに結合する。
【００４６】
図３Ｂに示すように、内側セグメント２１８ａは、後端２０から前端１８への方向において第１の長手軸ＡＳ１に沿って延在し、外側セグメント２１８ｂは、後端２０から前端１８への方向において第２の長手軸ＡＳ２に沿って延在する。従って、第１のセグメント２１８ａ及び第２のセグメント２１８ｂは、第３のセグメント２１８ｃから概ね同じ方向に沿って延在する。第１の長手方向ＡＳ１、第２の長手方向ＡＳ２、及び後方セグメント２１８ｃの弓形の経路は、全て、共通の平面に沿って延在してよい。
【００４７】
第１の長手方向軸ＡＳ１及び第２の長手方向軸ＡＳ２の一方又は両方は、履物の長手軸ＡＬと収束してよい。代替的に、第１の長手方向軸ＡＳ１と第２の長手方向軸ＡＳ２は、第３のセグメント２１８ｃから遠位端２１９ａ、２１９ｂへの方向に沿って互いに収束してよい。幾つかの例において、内側セグメント２１８ａ及び外側セグメント２１８ｂは、異なる長さを有してよい。例えば、外側セグメント２１８ｂは、内側セグメント２１８ａが内側側面２２に沿って中足領域１４内に延びるよりも遠くに、外側側面２４に沿って中足領域１４内に延びてよい。
【００４８】
図４、図５、及び図８に示すように、各セグメント２１８ａ〜２１８ｃは、管状であり、実質的に円形の断面形状を画定してよい。従って、セグメント２１８ａ〜２１８ｃの直径ＤＣは、チャンバ２１０の厚さＴＣ及び幅ＷＣの両方に対応する。チャンバ２１０の厚さＴＣは、地面係合面２０２からアッパー１００への方向における第２の障壁層２１２ｂと第１の障壁層２１２ａとの間の距離によって画定される一方で、ブラダの幅ＷＣは、チャンバ２１０の厚さＴＣに対して垂直に取られた内部空隙２１３に亘る距離によって画定される。幾つかの例において、チャンバ２１０の厚さＴＣ及び幅ＷＣは、互いに異なってよい。
【００４９】
セグメント２１８ａ〜２１８ｃのうちの少なくとも２つが、チャンバ２１０の異なる直径ＤＣを画定してよい。例えば、１つ又はそれよりも多くのセグメント２１８ａ〜２１８ｃは、他のセグメント２１８ａ〜２１８ｃのうちの１つ又はそれよりも多くよりも大きな直径のＤＣを有してよい。加えて、セグメントの直径ＤＣは、一端から他端に先細くなって(テーパ状であって)よい。図１及び図２に示すように、チャンバ２１０の直径ＤＣは、踵領域１６で最初に生じ、ソール構造２００の中足領域１４が地面と係合するためにうねる(roll)につれて減少する、より大きな大きさの地面反力を吸収するためのより大きな程度の緩衝作用(cushioning)を提供するよう、後端２０から中足領域１４に先細くなる。より具体的には、チャンバ２１０は、後端２０での第１の直径ＤＣ１（図８を参照）から中足領域１４での第２の直径ＤＣ２（図４を参照）に一定の比率で連続的に先細くなる。例示のように、第１の直径ＤＣ１は、後方セグメント２１８ｃによって画定され、第２の直径ＤＣ２は、内側セグメント２１８ａ及び外側セグメント２１８ｂの遠位端２１９ａ、２１９ｂで画定される。幾つかの例において、チャンバ２１０の第２の直径ＤＣ２は、内側側面２２及び外側側面２４の各々で同じである。しかし、幾つかの例において、内側セグメント２１８ａの遠位端２１９ａで提供される第２の直径ＤＣ２は、外側セグメント２１８ｂの遠位端２１９ｂでのチャンバ２１０の直径とは異なってよい。
【００５０】
図１及び図３Ａに示すように、内側セグメント２１８ａ及び外側セグメント２１８ｂのそれぞれの遠位端２１９ａ、２１９ｂは、半球形であり、チャンバ２１０の厚さＴＣ及び幅ＷＣの両方は、遠位端２１９ａ、２１９ｂに向かう方向に沿って減少する。遠位端２１９ａ、２１９ｂは、剪断力のような荷重がチャンバに加えられるときにチャンバ２１０の形状を保持するために、それぞれのセグメント２１８ａ、２１８ｂについてのアンカ地点、並びにチャンバ２１０全体についてのアンカ地点として機能する。
【００５１】
セグメント２１８ａ〜２１８ｃの各々は、履物１０の使用中に足のための緩衝作用及び安定性をもたらすために、加圧流体（即ち、気体、液体）で満たされてよい。幾つかの実装では、加えられる荷重の下での複数のセグメント２１８ａ〜２１８ｃの第１の部分の圧縮性は、応答型緩衝作用(responsive-type  cushioning)を提供する一方で、セグメント２１８ａ〜２１８ｃの第２の部分は、加えられる荷重の下で柔軟型緩衝作用(soft-type  cushioning)を提供するように構成されてよい。従って、チャンバ２１０のセグメント２１８ａ〜２１８ｃは、加えられる荷重が変化するに応じて変化する（即ち、荷重が大きければ大きいほど、セグメント２１８ａ〜２１８ｃがより多く圧縮される、よって、履物１０がより応答的に作動する）履物１０の物品への勾配緩衝作用(gradient  cushioning)を提供するよう、協働してよい。
【００５２】
幾つかの実装において、セグメント２１８ａ〜２１８ｃは、チャンバ２１０のための一体的な圧力システムを形成するために、互いに流体連通する。一体的な圧力システムは、加えられる荷重の下にあるときに、セグメント２１８ａ〜２１８ｃが圧縮又は膨張して、特に履物１０の前方走行動作中に地面反力を減衰させることによって、緩衝作用、安定性、及び支持を提供すると、セグメント２１８ａ〜２１８ｃを通じて流体を導く。任意的に、セグメント２１８ａ〜２１８ｃのうちの１つ又はそれよりも多くは、セグメント２１８ａ〜２１８ｃのうちの少なくとも１つを異なって加圧することができるよう、他のセグメント２１８ａ〜２１８ｃから流体的に隔離されてよい。
【００５３】
他の実装では、ポリマフォーム及び／又は粒子状物質のような１つ又はそれよりも多くのクッション材料(cushioning  materials)が、足のための緩衝作用を提供する加圧流体の代わりに又はそれに加えて、セグメント２１８ａ〜２１８ｃのうちの１つ又はそれよりも多くによって封入される。これらの実装において、クッション材料は、加圧流体で満たされたセグメント２１８ａ〜２１８ｃとは異なるクッション特性(cushioning  properties)を備えるセグメント２１８ａ〜２１８ｃのうちの１つ又はそれよりも多くを提供してよい。例えば、クッション材料は、加圧流体よりも多かれ少なかれ応答的であってよく、或いは加圧流体よりも大きな衝撃吸収を提供してよい。
【００５４】
図３〜図５を引き続き参照すると、セグメント２１８ａ〜２１８ｃは、チャンバ２１０内のポケット２１７を画定するよう協働する。図示のように、ポケット２１７は、内側セグメント２１８ａと外側セグメント２１８ｂとの間に形成され、後方セグメント２１８ｃからチャンバ２１０の遠位端２１９ａ、２１９ｂの間の開口まで連続的に延びる。例示の例において、ウェブ領域２１６は、ポケット２１７内に配置されている。図４、図５及び図８に示すように、ウェブ領域２１６は、ウェブ領域２１６がチャンバ２１０の上面及び下面から離間するように、チャンバ２１０の厚さに対して垂直に中間に配置されている。従って、ウェブ領域２１６は、ポケット２１７を、アッパー１００に面するウェブ領域２１６の第１の側面に配置された上方ポケット２１７ａと、地面に面するウェブ領域２１６の反対側の第２の側面に配置された下方ポケット２１７ｂとに分離する。以下で議論するように、上方ポケット２１７ａは、外側ソール部材２３０を受け入れるように構成されることがある一方で、下方ポケット２１７ｂは、第２のソール部材２６０を受け入れるように構成される。幾つかの例において、ウェブ領域２１６は、ポケット２１７内に存在しないことがあり、ポケット２１７は、地面からアッパー１００まで中断されないことがある。
【００５５】
幾つかの実装では、オーバーモールド部分２２０は、加えられる荷重の下にあるときに、セグメント２１８ａ〜２１８ｃについての耐久性及び弾性の増大をもたらすために、チャンバ２１０の一部分を覆って延在する。従って、オーバーモールド部分２２０は、チャンバ２１０とは異なる材料で形成され、第２の障壁層２１２ｂとは異なる厚さ、異なる硬さ、及び異なる耐摩耗性のうちの少なくとも１つを含む。幾つかの例において、オーバーモールド部分２２０は、オーバーモールドプロセスを用いてチャンバ２１０の第２の障壁層２１２ｂと一体的に形成されてよい。他の例において、オーバーモールド部分２２０は、チャンバ２１０の第２の障壁層２１２ｂとは別個に形成されてよく、第２の障壁層２１２ｂに接着式に結合されてよい。
【００５６】
オーバーモールド部分２２０は、第２の障壁層２１２ｂと第１の障壁層２１２ａとの間の分離距離がより大きいチャンバ２１０の耐久性及び弾性の増大をもたらすために、或いはチャンバ２１０の特定の領域において厚さの増大をもたらすために、第２の障壁層２１２ｂに取り付けることによって、チャンバ２１０のセグメント２１８ａ〜２１８ｂの各々を覆って延在してよい。従って、オーバーモールド部分２２０は、チャンバ２１０のセグメント２１８ａ〜２１８ｃに対応する複数のセグメント２２２ａ〜２２２ｃを含むことがある。よって、オーバーモールド部分２２０は、セグメント２１８ａ〜２１８ｃを部分的に画定する第２の障壁層２１２ｂの領域にのみ付着することに限定されることがあり、従って、オーバーモールド部分２２０は、シーム２１４及びウェブ領域２１６に存在しない。より具体的には、オーバーモールド部分２２０のセグメント２２２ａ〜２２２ｂは、チャンバ２１０のセグメント２１８ａ〜２１８ｃと協働して、下方ポケット２１７ｂへの開口２２４を画定することがあり、開口は、以下で議論するように、内側ソール部材２６０の一部分をその中に受け入れるように構成される。
【００５７】
幾つかの例において、オーバーモールド部分２２０は、オーバーモールド部分の厚さＴＯを画定する対向する一対の表面２２６を含む。表面２２６は、第２の障壁層２１２ｂに結合された凹状の内面２２６ａと、ソール構造２００の地面係合面２０２の一部分を画定する凸状の外面２２６ｂとを含む。従って、オーバーモールド部分２２０は、実質的に弓形又は三日月形の断面を画定する。図４及び図５に示すように、凹状の内面２２６ａ及び凸状の外面２２６ｂは、オーバーモールド部分２２０の厚さＴＯが中間部分から周辺縁２２８に向かって先細くなるように構成されてよい。幾つかの事例において、表面２２６ａ、２２６ｂは互いに収束して、周辺縁２２８を画定してよく、オーバーモールド部分２２０とチャンバ２１０との間に実質的に連続した又は同一平面を成す移行部を提供してよい。図４、図５、及び図８に示すように、周辺縁２２８は、外面２２６ｂがシーム２１４の遠位端と実質的に同一平面を成し且つ連続的であるように、チャンバ２１０のシーム２１４と当接してよい。
【００５８】
図１〜図５及び図８を引き続き参照すると、流体充填ブラダ２０８は、第１の遠位端２１９ａから第２の遠位端２１９ｂまで踵領域１６の外周に沿って連続的に露出させられてよい。例えば、第１の障壁層２１２ａは、透明な第１の障壁層２１２ａが踵領域１６の周辺の周りで露出させられるように、アッパー１００とオーバーモールド部分２２０との間でソール構造２００の外周に沿って連続的に露出させられてよい。同様に、オーバーモールド部分２２０は、第１の遠位端２１９ａから第２の遠位端２１９ｂまでソール構造の外周に沿って連続的に露出させられてよい。
【００５９】
外側ソール部材２３０は、以下で議論するように、側壁２３４を有する上方部分２３２と、内側ソール部材２６０を受け入れるキャビティ２３８を画定するよう上方部分２３２と協働するリブ２３６とを含む。外側ソール部材２３０は、例えば、ポリマフォームのようなエネルギ吸収材料から形成されてよい。ポリマフォームのようなエネルギ吸収材料から外側ソール部材２３０を形成することは、外側ソール部材２３０が使用中の地面上の履物１０の物品の移動によって引き起こされる地面反力を減衰させることを可能にする。
【００６０】
図４〜図８を参照すると、外側ソール部材２３０は、上面２４０を含み、上面２４０は、内側側面２と外側側面２４との間で前端１８から後端２０まで連続的に延在し、上方部分２３２がアッパー１００のフットベッド１０６(中敷)(footbed)の輪郭を実質的に画定するようにアッパー１００のストロベル１０４に対向する。外側ソール部材２３０は、下面２４２を更に含み、下面は、上面２４０から離間し、前足領域１２及び中足領域１４においてソール構造２００の地面係合面２０２の一部分を画定する。外側ソール部材２３０の中間面２４４が下面２４２から上面２４０に向かって凹まされている。周辺側面２４６がソール構造２００の外周の周りに延在し、上面２４０を下面２４２に接合させる。内部側面２４８(inner  side  surface)が周辺側面２４６から内向きに離間してリブ２３６の幅ＷＲを画定し、下面２４２と中間面２４６との間に延在する。
【００６１】
上面２４０、中間面２４２、及び周辺側面２４６は、外側ソール部材２３０の上方部分２３２を協働して形成する。上方部分２３２は、前端１８に隣接する第１の端から後端２０に隣接する第２の端まで延びている。図４、図５、及び図８に示すように、上方部分２３２の第２の端は、ウェブ領域２１６の第１の側面で、チャンバ２１０の上方ポケット２１７ａ内に少なくとも部分的に受け入れられてよい。従って、ソール構造２００は、チャンバ２１０の第１の障壁層２１２ａとアッパー１００との間に配置される外側ソール部材２３０のポリマフォーム層を含んでよい。よって、ソール構造２００のフォーム層は、チャンバ２１０の第１の障壁層２１２ａをアッパー１００及び／又はストロベル１０４の底面に接合することによって、チャンバ２１０の第１の障壁層２１２ａをアッパー１００に間接的に取り付け、それによって、ソール構造２００をアッパー１００に固定する、中間層である。その上、外側ソール部材２３０のフォーム層は、第１の障壁層２１２ａがアッパー１００に直接的に付着する程度を減少させることもあり、従って、履物１０の耐久性を増加させる。
【００６２】
図示のように、上面２４０は、輪郭付けられた形状を有してよい。特に、上面２４０は、上面２４０の外周が上向きに延び、周辺側面２４２と収束して、ソール構造２００の外周に沿って延びる側壁２３４を形成することがあるように、凸状であってもよい。側壁２３４は、外側ソール部材２３０がアッパー１００とストロベル１０４との間の接合部を隠すように、アッパー１００の外面上に少なくとも部分的に延在してよい。
【００６３】
図１を参照すると、下面２４２からの側壁２３４の高さは、前端１８から中足領域１４を通じて頂部２５０まで連続的に増加し、次に、頂部から後端２０まで連続的に減少してよい。側壁２３４は、概して、増大した横方向補強をアッパー１００にもたらすように構成される。従って、踵領域１６に隣接する増大した高さを側壁２３４に提供することは、踵領域１６内の足の横方向移動を最小限に抑えるための追加的な支持をアッパーに提供する。
【００６４】
引き続き図６及び図７を参照すると、リブ２３６は、上方部分２３２から下面２４２まで下向きに延び、前足領域１２及び中足領域１４内に地面係合面２０２の一部分形成する。周辺側面２４６と内面２４８との間の距離は、リブ２３６の幅ＷＲを画定する。図３Ｂに示すように、リブ２３６の幅ＷＲは、ソール構造２００の周辺に沿って可変であってよい。
【００６５】
図３Ｂを参照すると、リブ２３６は、チャンバ２１０の側方セグメント２１８ｂの第１の遠位端２１９ａに対向する中足領域１４内の第１の端２５０ａから、前足領域１２の周辺を回って、側方セグメント２１８ｂの第２の遠位端２１９ｂに対向する中足領域１４内の第２の端２５０ｂまで連続的に延在する。図示のように、第１の末端２５０ａ及び第２の末端２５０ｂの各々は、ブラダ２０８の半球形の遠位端２１９ａ、２１９ｂを補完する或いは受け入れるように構成された弓形又は凹状の表面によって画定されてよい。従って、ブラダ２０８とリブ２３６は、ソール構造２００の周辺の周りに実質的に連続的な地面係合面２０２を協働して画定する。
【００６６】
リブ２３６は、内側側面２２及び外側側面２４に沿って延び、ソール構造２００の前端１８で集束する、複数のセグメント２５２を含む。リブ２３６のセグメント２５２は、足中領域１４内の内側側面２２に沿って第１の遠位端２３８ａから延びる第１のセグメント２５２ａと、第１のセグメント２５２ａに接続され、中足領域１４と前端１８との間で内側側面２２に沿って延びる第２のセグメント２５２ｂと、第２のセグメント２５２ｂに接続され、外側側面２４に沿って前端１８から中足領域１４まで延びる第３のセグメント２３６ｃと、第３のセグメント２５２ｃに接続され、中足領域１４において外側側面２４に沿って第２の端２５０ｂまで延びる第４のセグメント２５２ｄとを含む。
【００６７】
上記で議論したように、リブ２３６の幅ＷＲは、ソール構造２００の周辺に沿って可変であってよい。例えば、セグメント２５２ａ〜２５２ｄのうちの１つ又はそれよりも多くは、他のセグメント２５２ａ〜２５２ｄのうちの１つ又はそれよりも多くとは異なる幅ＷＲを有してよい。例示の例において、第１のセグメント２５２ａ、第２のセグメント２５２ｂ、及び第４のセグメント２５２ｄは、それぞれ、実質的に類似の幅ＷＲ１、ＷＲ２、ＷＲ４を有する一方で、第３のセグメント２５２ｃは、より大きな幅ＷＲ３を有する。従って、リブ２３６は、異なる厚さのセグメント２５２の対向する端を接合する移行部２５４を含むことがある。例えば、例示の例において、リブ２３６は、前足領域１２のボール部分１２Ｂ内で、ソール構造２００の側面２２に沿って、第３のセグメント２５２ｃと第４のセグメント２５２ｄとの間に配置された、第１の移行部２５４ａを含む。リブ２３６は、前端１８に沿って第２のセグメント２５２ｂと第４のセグメント２５２ｄとの間に第２の移行部２５４ｂを更に含む。
【００６８】
引き続き図３Ｂ、図６及び図７を参照すると、中間面２４４及び内部側面２４８は、外側ソール部材２３０のキャビティ２３８を協働して画定する。従って、キャビティ２３８の深さは、下面２４２と中間面２４４との間の距離に対応し、キャビティ２３８の周辺プロファイルは、内部側面２４８によって画定されるリブ２３６の内側プロファイルに対応する。キャビティ２３８は、末端２５０ａ，２５０ｂの間で、前足領域１２の褄先部分１２Ｔ内の第１の端からソール構造の中足領域１４内に配置された開口まで延在する。従って、外側ソール部材２３０のキャビティ２３８の開口は、キャビティ２３８及び下方ポケット２１７ｂが内側ソール部材２６０を受け入れるための実質的に連続的な凹部を提供するように、チャンバ２１０の下方ポケット２１７ｂの開口に対向してよい。
【００６９】
外側ソール部材２３０は、履物１０の長手方向軸ＡＬに対して実質的に垂直な方向に沿って、周辺側面２４６から内部側面２４８まで延びる、下面２４２に形成された１つ又はそれよりも多くのチャネル２５６を更に含んでよい。例示の例において、チャネル２５６の各々は、実質的に半円筒状の形状である。チャネル２５６は、第１のセグメント２５２ａと第２のセグメント２５２ｂとの間で、内側側面２２に配置された第１のチャネル２５６ａを含んでよい。具体的には、第１のチャネル２５６ａは、前足領域１２と中足領域１４との間に形成されてよい。第２のチャネル２５６ｂが、中足領域内で第３のセグメント２５２ｃの中間部分に形成されてよく、第３のチャネル２５６ｃが、第４のセグメント２５２ｄの中間部分に形成されてよい。具体的には、第３のチャネル２５６ｃは、前足領域１２のボール部分１２Ｂと褄先部分１２Ｔとの中間で、第４のセグメント２５２ｄに隣接する第１の移行部２５４ａの端部に形成されてよい。
【００７０】
図３Ｂを参照すると、内側ソール部材２６０は、外側ソール部材２３０のキャビティ２３８内に受け入れられる第１の端２６２と、ブラダ２０８の下方ポケット２１７ｂ内に受け入れられる第２の端２６４とを含む。内側ソール部材２６０は、ソール構造２００に望ましい特性を付与するために、外側ソール部材２３０とは異なるポリマ材料で形成される。例えば、内側ソール部材２６０は、外側ソール部材２３０の発泡ポリマ材料よりもより大きな摩擦係数、耐摩耗性、及び剛性を有する材料で形成されてよい。従って、内側ソール部材２６０は、ソール構造２００の剛性又は可撓性を制御するシャンクとして機能してよい。幾つかの例において、内側ソール部材２６０は、ポリマフォーム材料から形成されてよい。追加的に又は代替的に、内側ソール部材２６０は、ゴムのような非発泡ポリマ材料で形成されてよい。
【００７１】
内側ソール部材２６０の第１の端２６２は、外側ソール部材２３０のキャビティ２３８内に配置され、外側ソール部材の内部側面２４８のプロファイルを補完する外側プロファイルを有する。従って、第１の端２６２の外側プロファイルは、リブ２３６の比較的広い第４のセグメント２５２ｄと協働するように構成される、外側側面２４に沿って前足領域１２に形成される凹部２６６を含んでよい。
【００７２】
第１の端２６２は、ソール構造２００の地面係合面２０２の一部分を形成してよく、以下でより詳細に議論するように、前足領域１２から中足領域１４まで延びる牽引要素２０４、２０４ｇのうちの１つを含む。内側ソール部材２６０の第２の端２６４は、ウェブ領域２１６の第２の側面で、チャンバ２１０の下方ポケット２１７ｂ内に受け入れられる。第２の端２６４は、ブラダ２０８の内側セグメント２１８ａ、２２２ａ、外側セグメント２１８ｂ、２２２ｂ、及び後方セグメント２１８ｃ、２２２ｃによって囲まれる。従って、ウェブ領域２１６は、外側ソール部材２３０の上方部分２３２と内側ソール部材２６０の第２の端２６４との間に配置されることがある。
【００７３】
第２の端２６４は、地面係合面２０２の一部分を形成する実質的に凸形状のバルジ２６８(膨らみ)(bulge)を含んでよい。図４及び図５に示すように、バルジ２６８は、内側ソール部材２６０の厚さが長手方向軸ＡＬに向かって増加してソール構造２００の中心に沿って増大した厚さの領域を提供する場所に形成される。バルジ２６８の幾何学的形状は、エネルギ吸収の望ましい特性を付与するよう、ソール構造２００の長さに沿って可変であってよい。図４及び図５に示すように、中足領域１４内のバルジ２６８のプロファイルは、中足領域１４内のバルジ２６８のエネルギ吸収率が比較的一定である一方で、踵領域１６内のエネルギ吸収率は漸進的であるように、踵領域１６内のバルジ２６８のプロファイルと比較して比較的平坦であってよい。追加的に又は代替的に、バルジ２６８は、バルジ２６８が比較的高い衝撃の期間のような幾つかの条件の下で地面とのみ係合するように、ブラダ２０８によって画定される地面係合面２０２の部分から離間してよい。
【００７４】
上記で議論したように、ブラダ２０８のオーバーモールド部分２２０、外側ソール部材２３０、及び内側ソール部材２６０は、ソール構造２００の地面係合面２０２を協働して画定し、地面係合面は、そこから延びる複数の牽引要素２０４を含む、牽引要素２０４は、使用中にソール構造２００に応答性及び安定性を提供するために地面と係合するように構成される。
【００７５】
オーバーモールド部分２２０の外面２２６ｂは、その上に形成された複数の牽引要素２０４を含んでよい。例えば、内側セグメント２２２ａ及び外側セグメント２２２ｂの各々は、後方セグメント２２２ｃとオーバーモールド部分２２０のそれぞれの遠位端２２３ａ、２２３ｂとの間に配置された複数の四辺形の形状の牽引要素２０４ａを含んでよい。内側セグメント２２２ａ及び外側セグメント２２２ｂは、各々、それぞれの遠位端２２３ａ、２２３ｂと関連付けられた遠位牽引要素２０４ｂを更に含んでよい。遠位牽引要素２０４ｂは、概ねＤ形状であり、中足領域１４の中心に向かって面する弓形側面と、中足領域１４から見て外方を向く直線側面とを有する。
【００７６】
同様に、外側ソール部材２３０の下面２４２は、それぞれの末端２５０ａ、２５０ｂ及び前端１８の中間で、内側側面２２及び外側側面２４の各々に沿って形成される、複数の四辺形の形状の牽引要素２０４ｃを含む。下面２４２は、リブ２３６の末端２５０ａ、２５０ｂの各々に配置され、ブラダ２０８の遠位牽引要素２０４ｂに対向する、一対のＤ形状の牽引要素２０４ｄを更に含む。従って、牽引要素２０４ｄの弓形側面は、オーバーモールド部２２０上に形成されるＤ形状の牽引要素２０４ｂの弓形側面に対向し、直線側面は、前端１８に向かって面する。
【００７７】
ソール構造２００の地面係合面２０２は、外側ソール部材２３０上に形成された前方牽引要素２０４ｅと、ブラダ２０８のオーバーモールド部分２２０上に形成された後方牽引要素２０４ｆとを更に含む。図３に示すように、前方牽引要素２０４ｅは、内側側面２２にある第２のセグメント２５２ｂの第１の端から、前方端１８を回って、外側側面２２にある第４のセグメント２５２ｄの第２の端まで延在する。同様に、後方牽引要素２０４ｆは、内側側面２２に隣接する第１の端から外側側面２４に隣接する第２の端まで、オーバーモールド部分２２０の後方セグメント２２２ｃに沿って延在する。
【００７８】
上記で議論したように、内側ソール部材２６０の第１の端２６２は、前足領域１２の中間部分内の第１の端から中足領域１４の中間部分内の第２の端まで延びる内側牽引要素２０４ｇを含んでよい。図示のように、内側牽引要素２０４は、内部側面２４８のプロファイルに対応し、内部側面２４８のプロファイルからオフセットされた、外側プロファイルを有する。内側牽引要素２０４ｇの第２の端は、内側側面２２から外側側面２４への方向においてリブ２３６の末端２５０ａ、２５０ｂと実質的に整列させられている。
【００７９】
牽引要素２０４ａ〜２０４ｇの各々は、その中に形成された地面係合面２０６を含んでよく、地面係合面２０６は、地面係合面２０２と地面との間の牽引を向上させるよう、地面とインターフェース接続するように構成される。図示のように、内側側面２２及び外側側面２４に沿って形成された牽引要素２０４ａ〜２０４ｄは、そこから延びる単一の中央配置された突起２０６ａを含んでよく、突起２０６ａは、地面との所望の係合の程度を提供するように構成される。幾つかの例において、突起２０６ａは、単一の半球状の突起である。追加的に又は代替的に、牽引要素２０４ａ〜２０４ｄは、例えば、多角形又は円筒形の形状を有する複数の突起を含んでよい。
【００８０】
地面係合構成２０６は、牽引要素２０４内に形成される１つ又はそれよりも多くの鋸歯２０６ｂ(serrations)を更に含んでよい。例えば、前方牽引要素２０４ｅ及び後方牽引要素２０４ｆの各々は、内側側面２２から外側側面２４に向かって延びる細長い鋸歯２０６ｂを含んでよい。同様に、内部牽引要素２０４ｇは、内側牽引要素２０４ｇの全長に沿って均等に離間する複数の平行な鋸歯２０６ｂを含んでよく、各鋸歯２０６ｂは、内側側面２２から外側側面２４に向かって延在する。内部牽引要素２０４ｇの鋸歯２０６ｂは、内部牽引要素２０４ｇの全幅を通じて連続的に延在してよい一方で、前方牽引要素２０４ｅ及び後方牽引要素２０４ｅ、２０４ｆ内に形成された鋸歯２０６ｂは、牽引要素２０４ｅ、２０４ｆの外周内に形成されてよい。
【００８１】
ソール構造２００は、第１の障壁層２１２ａと同じ透明なＴＰＵ材料から形成され、外側の底部部材２３０を覆って延在する、踵カウンタ２７０(heel  counter)を更に含む。図示のように、踵カウンタ２７０は、チャンバ２１０の第１の遠位端２１９ａから、後方端２０を回って、チャンバ２１０の第２の遠位端２１９ｂまで延びる。
【００８２】
図１を参照すると、踵カウンタ２７０の高さは、チャンバ２１０の第２の遠位端２１９ｂから、外側側面２４の踵領域内の頂点２７２まで増加し、次に、後端２０まで減少する。例示していないが、踵カウンタ２７０は、踵カウンタ２７０の高さが外側側面２４上の頂点２７２と内側側面２２上の頂点（図示せず）との間でアッパー１００の後端２０の周りに凹まされる(cupped)ように、内側側面２２に沿って同様に形成される。図４に示すように、長手方向軸ＡＦに沿う第１の位置で、踵カウンタ２７０の高さは、踵カウンタ２７０が側壁２３４を部分的に上方に延びるように、外側ソール部材２３０の側壁２３４の高さよりも少なくてよい。しかしながら、図５に示すように、頂点に隣接する又は頂点にある長手方向軸ＡＦに沿う第２の位置で、踵カウンタ２７０の高さは、踵カウンタ２７０が側壁２３４を越えて延びてアッパー１００に付着するように、側壁２３４の高さよりも大きくてよい。
【００８３】
使用中、ブラダ２０８、外側ソール部材２３０、及び内側ソール部材２６０は、従来的なミッドソールが提供する機能性及びクッション特性を向上させると同時に、履物１０の使用中に地面反力に応答して生じる足の振動を減衰させることによって足のための安定性及び支持の増をもたらすよう、協働してよい。例えば、歩行動作又は走行動作のような前進動作中にソール構造２００に加えられる荷重は、セグメント２１８ａ〜２１８ｃの一部を圧縮させて、地面反力を減衰させることによって足のための緩衝作用を提供する一方で、他のセグメント２１８ａ〜２１８ｃは、地面反力の初期衝撃に応答して履物１０に対する足振動を減衰させる支持特性及び安定性を付与するために、それらの形状を保持してよい。
【００８４】
以下の条項は、上述の履物製品についての例示的な構成を提供する。
【００８５】
条項１：履物の物品のためのブラダであって、第１の材料で形成される第１の障壁層と、第２の材料で形成される第２の障壁層とを含み、第２の障壁層は、前記第１の障壁層と協働して、弓形の経路に沿って延びる第１の流体充填セグメントと、第１の長手方向軸に沿って第１の流体充填セグメントの第１の端から第１の遠位端まで延びる第２の流体充填セグメントと、第２の長手方向軸に沿って第１の流体充填セグメントの第２の端から第２の遠位端まで延びる第３の流体充填セグメントとを含む、流体充填チャンバを形成し、第１の長手方向軸及び第２の長手方向軸は、同じ方向に延び、流体充填チャンバは、第１の流体充填セグメントから第１の遠位端及び第２の遠位端の少なくとも一方まで連続的に一定の比率で先細くなる流体充填チャンバの厚さを画定する、管状形状を有する、ブラダ。
【００８６】
条項２：第１の障壁層及び第２の障壁層は、第１の流体充填セグメント、第２の流体充填セグメント、及び第３の流体充填セグメントの各々を接続する、ウェブ領域を更に画定し、第１の障壁層は、ウェブ領域内で第２の障壁層に接合される、条項１に記載のブラダ。
【００８７】
条項３：第１の障壁層は、第１の流体充填セグメント、第２の流体充填セグメント、及び第３の流体充填セグメントの各々で、第２の障壁層から離間して、流体充填チャンバの連続的な内部空隙を画定する、条項１に記載のブラダ。
【００８８】
条項４：流体充填チャンバの断面は、円形である、条項１に記載のブラダ。
【００８９】
条項５：流体充填チャンバの直径は、第３のセグメントでの第１の直径から第１の遠位端及び第２の遠位端での第２の直径に連続的に先細くなる、条項４に記載のブラダ。
【００９０】
条項６：第１の遠位端及び第２の遠位端は、半球形である、条項１に記載のブラダ。
【００９１】
条項７：第１の流体充填セグメント、第２の流体充填セグメント、及び第３の流体充填セグメントの各々に接合される、オーバーモールド部分を更に含む、条項１に記載のブラダ。
【００９２】
条項８：オーバーモールド部分は、流体充填チャンバに接合される弓形の内面と、地面係合面を画定する反対側の弓形の外面とを含む、条項７に記載のブラダ。
【００９３】
条項９：オーバーモールド部分の断面は、三日月形状である、条項８に記載のブラダ。
【００９４】
条項１０：流体充填チャンバは、透明な材料で形成される、条項１に記載のブラダ。
【００９５】
条項１１：履物の物品のための流体充填ブラダであって、第１の方向に沿って第１の遠位端まで延びる第１の流体充填セグメントと、第１の流体充填セグメントから離間し、第１の方向に沿って第２の遠位端まで延びる、第２の流体充填セグメントと、第１のセグメントと第２のセグメントとの間に延びる第３の流体充填セグメントとを画定するよう協働する、第１の障壁層及び第２の障壁層を有する、第１の材料で形成される、流体充填チャンバ、並びに流体充填チャンバの第１のセグメントに接合される第３のセグメントと、流体充填チャンバの第２のセグメントに接合される第４のセグメントと、流体充填チャンバの第３のセグメントに接合される第６のセグメントとを有する、第２の材料で形成されるオーバーモールド部分とを含み、流体充填チャンバは、第３の流体充填セグメントから第１の遠位端及び第２の遠位端のうちの少なくとも一方に連続的に先細くなる流体充填チャンバの厚さを画定する、管状形状を有する、流体充填ブラダ。
【００９６】
条項１２：第１のセグメント、第２のセグメント、及び第３のセグメントの各々は、連続的な内部空隙を協働して画定する、条項１１に記載の流体充填ブラダ。
【００９７】
条項１３：内部空隙は、円形の断面を有する、条項１２に記載の流体充填ブラダ。
【００９８】
条項１４：内部空隙の直径は、第３の流体充填セグメントでの第１の直径から第１の遠位端での第２の直径まで先細くなる、条項１３に記載の流体充填ブラダ。
【００９９】
条項１５：直径は、一定の比率で先細くなり、第２の直径は、第１の直径未満である、条項１４に記載の流体充填ブラダ。
【０１００】
条項１６：第１の流体充填セグメントと第２の流体充填セグメントとの間に延在するウェブ領域を更に含む、条項１１に記載の流体充填ブラダ。
【０１０１】
条項１７：オーバーモールド部分は、オーバーモールド部分から延びる複数の牽引要素を含む、条項１１に記載の流体充填ブラダ。
【０１０２】
条項１８：流体充填チャンバは、透明な材料で形成され、オーバーモールド部分は、透明でない材料で形成される、条項１１に記載の流体充填ブラダ。
【０１０３】
条項１９：第１の遠位端及び第２の遠位端は、半球形である、条項１１に記載の流体充填ブラダ。
【０１０４】
条項２０：第３のセグメントは、弓形の経路に沿って延びる、条項１１に記載の流体充填ブラダ。
【０１０５】
前述の記載は、例示及び記述の目的のために提供されている。それは網羅的であること又は本開示を限定することを意図しない。特定の構成(configuration)の個々の要素(elements)又は構成(features)は、一般的に、その特定の構成(configuration)に限定されないが、適用可能な場合には、具体的に図示又は記載されていないとしても、互換可能であり、選択される構成(configuration)において使用可能である。同じことが多くの方法で異なってよい。そのような変更は本開示からの逸脱とみなされるべきでなく、全てのそのような変更が本開示の範囲内に含まれることが意図されている。
【図１】
2021512745.tif 000003
【図２】
2021512745.tif 000004
【図３Ａ】
2021512745.tif 000005
【図３Ｂ】
2021512745.tif 000006
【図４】
2021512745.tif 000007
【図５】
2021512745.tif 000008
【図６】
2021512745.tif 000009
【図７】
2021512745.tif 000010
【図８】
2021512745.tif 000011
【国際調査報告】
2021512745.tif 000012
2021512745.tif 000013